【手続補正書】
【提出日】平成15年12月19日(2003.12.19)
【手続補正１】
【補正対象書類名】明細書
【補正対象項目名】発明の名称
【補正方法】変更
【補正の内容】
【発明の名称】仲介交渉プログラム、交渉応答プログラム及び記録媒体
【手続補正２】
【補正対象書類名】明細書
【補正対象項目名】特許請求の範囲
【補正方法】変更
【補正の内容】
【特許請求の範囲】
【請求項１】
ネットワークを利用して依頼者と応答者との間の交渉を仲介する仲介交渉方法に於いて、コンピュータに、
依頼者の仲介要求に応じて依頼内容に優先順位を付した依頼条件を作成する依頼作成手順、
交渉フィールドを生成して前記依頼条件を投入し、前記依頼条件に応じて選択された応答者に前記依頼条件を通知する交渉依頼手順、
前記交渉フィールドに参加している応答者からの応答情報を受信して前記依頼者及び他の応答者に通知する交渉応答手順、
を実行させるための仲介交渉プログラムを格納したコンピュータ読み取り可能な記録媒体。
【請求項２】
請求項１記載の記録媒体に於いて、前記交渉応答手順は、前記フィールドに投入された応答情報を前記依頼者に通知する際に、前記依頼内容の優先順位に従って整理した応答情報を通知することを特徴とする仲介交渉プログラムを格納したコンピュータ読み取り可能な記録媒体。
【請求項３】
コンピュータに、
依頼者の仲介要求に応じて依頼内容に優先順位を付した依頼条件を作成する依頼作成手順、
交渉フィールドを生成して前記依頼条件を投入し、前記依頼条件に対応して選択された応答者に前記依頼条件を通知する交渉依頼手順、
前記交渉フィールドに参加している応答者からの応答情報を受信して前記依頼者及び他の応答者に通知する交渉応答手順、
を実行させることを特徴とする仲介交渉プログラム。
【請求項４】
コンピュータに、
ネットーク上に生成された交渉フィールドに投入された依頼情報を受信する受信手順、
応札価格について初期値、きざみ値及び最低値を準備し、最初は応札価格に初期値を設定した応答情報を投入し、前記交渉フィールドに応札価格の安い他の応答情報を認識した場合は前記きざみ値単位に応札価格を順次修正した応答情報を再投入し、競争相手の応札価格が前記最低値を下回った場合は応答情報の投入を止めて交渉から降りる交渉応答手順、
を実行させるための交渉応答プログラムを格納したコンピュータ読み取り可能な記録媒体。
【請求項５】
コンピュータに、
ネットーク上に生成された交渉フィールドに投入された依頼情報を受信する受信手順、
応札価格について初期値、きざみ値及び最低値を準備し、最初は応札価格に初期値を設定した応答情報を投入し、前記交渉フィールドに応札価格の安い他の応答情報を認識した場合は前記きざみ値単位に応札価格を順次修正した応答情報を再投入し、競争相手の応札価格が前記最低値を下回った場合は応答情報の投入を止めて交渉から降りる交渉応答手順、
を実行させるための交渉応答プログラム。
【手続補正３】
【補正対象書類名】明細書
【補正対象項目名】０００１
【補正方法】変更
【補正の内容】
【０００１】
【発明の属する技術分野】
本発明は、ネットワークを通じて依頼者と業者との交渉を仲介する仲介交渉プログラム、交渉応答プログラム及び記録媒体に関し、特に、ネットワーク上に形成した交渉フィールドに投入した依頼条件と応答情報を参加者全員に見せながら交渉が進められる仲介交渉プログラム、交渉応答プログラム及び記録媒体に関する。


【手続補正４】
【補正対象書類名】明細書
【補正対象項目名】０００８
【補正方法】変更
【補正の内容】
【０００８】
本発明は、依頼条件に対し交渉フィールドを生成し、多数の応答情報から最適な交渉結果が得られる仲介交渉プログラム、交渉応答プログラム及び記録媒体を提供することを目的とする。


【手続補正５】
【補正対象書類名】明細書
【補正対象項目名】００１０
【補正方法】変更
【補正の内容】
【００１０】
（仲介者サーバ用の記憶媒体）
本発明は、ネットワークを利用して依頼者と応答者との間の交渉を仲介する仲介交渉方法であり、図１（Ａ）のように、コンピュータに、
依頼者の仲介要求に応じて依頼内容に優先順位を付した依頼条件を作成する依頼作成手順（ステップＳ１）、
交渉フィールドを生成して依頼条件を投入し、依頼条件に応じて選択された応答者に依頼条件を通知する交渉依頼手順（ステップＳ２）、
交渉フィールドに参加している応答者からの応答情報を受信して依頼者及び他の応答者に通知する交渉応答手順（ステップＳ３）、
を実行させる仲介交渉プログラムを格納したコンピュータ読み取り可能な記録媒体を特徴とする。
【手続補正６】
【補正対象書類名】明細書
【補正対象項目名】００１５
【補正方法】変更
【補正の内容】
【００１５】
ここで依頼作成手順は、依頼条件として依頼商品又はサービス、価格、納期等の依頼内容に優先順位を付して作成する。この場合、交渉応答手順は、交渉フィールドに投入された応答情報を依頼者に通知する際に、要求内容の優先順位に従って整理した応答情報を通知する。このように依頼内容に優先順位を付して交渉フィールドに投入することで、次のような作用が得られる。


【手続補正７】
【補正対象書類名】明細書
【補正対象項目名】００２０
【補正方法】変更
【補正の内容】
【００２０】
依頼作成手順は、依頼者からの抽象的な仲介要求を解析して１または複数の依頼条件を作成する。例えば「駅前にオフィスを開きたい。」といった曖昧で且つ大雑把なユーザからの抽象的な仲介要求であっても、これを解析して仲介条件一覧データの指定やユーザに対する問合せを通じて不動産、オフィス用品、オフィス備品といったカテゴリに分けて具体的な依頼条件が作成され、依頼者による依頼条件の入力ための負担を大幅に低減し、仲介者のノウハウを反映した適切な交渉フィールドを構築できる。


【手続補正８】
【補正対象書類名】明細書
【補正対象項目名】００２１
【補正方法】変更
【補正の内容】
【００２１】
交渉依頼手順は、交渉フィールドに投入した依頼条件における優先順位を含む依頼内容を変更して再投入する。このため依頼者は、交渉フィールドに投入されてくる応答情報を見て、応答が少なかったり、意図する応答情報が得られていないような場合には、優先順位を含む依頼内容を変更して再投入することで、期待する応答情報の投入を促進させる等の対応ができる。


【手続補正９】
【補正対象書類名】明細書
【補正対象項目名】００２２
【補正方法】変更
【補正の内容】
【００２２】
交渉依頼手順は、複数の依頼条件がある場合、その内の少なくとも１つに該当することを条件に応答者に選択して依頼者との間の交渉フィールドを生成する。即ち、本発明にあっては、１つの依頼条件単位に応答者を選択して交渉フィールドに参加させており、このため特定の商品を提供する専業的業者であっても、全体的な商品を提供する総合的業者であっても、均等に交渉フィールドに対する応札の機会が与えられる。


【手続補正１０】
【補正対象書類名】明細書
【補正対象項目名】００２３
【補正方法】変更
【補正の内容】
【００２３】
交渉依頼手順は交渉フィールドに交渉期限を設定して依頼条件を投入し、また交渉応答手順は交渉終了を判断して交渉フィールドを閉鎖する。この交渉フィールドの閉鎖につき、交渉応答手順は、依頼者の交渉確定指示又は交渉期限の到達により交渉フィールドを閉鎖する。


【手続補正１１】
【補正対象書類名】明細書
【補正対象項目名】００２４
【補正方法】変更
【補正の内容】
【００２４】
また交渉応答手順は、依頼者の指示に基づいて交渉期限を延長することができる。また、交渉応答手順は、交渉期限の到達時に予め設定した条件が成立した場合、交渉期限を自動延長するようにしても良い


【手続補正１２】
【補正対象書類名】明細書
【補正対象項目名】００２６
【補正方法】変更
【補正の内容】
【００２６】
（仲介者サーバ用の記録媒体）
また本発明は、仲介交渉プログラムを格納したコンピュータ読み取り可能な記録媒体を提供するものであり、仲介交渉プログラムは、コンピュータに、
依頼者の仲介要求に応じて依頼内容に優先順位を付した依頼条件を作成する依頼作成手順、
交渉フィールドを生成して依頼条件を投入し、依頼条件に対応した応答者を選択して依頼条件を通知する交渉依頼手順、
交渉フィールドに参加している応答者からの応答情報を受信して依頼者及び他の応答者に通知する交渉応答手順
を実行させることを特徴とする。
【手続補正１３】
【補正対象書類名】明細書
【補正対象項目名】００２７
【補正方法】変更
【補正の内容】
【００２７】
（仲介者サーバ用のプログラム）
また本発明は、仲介交渉プログラムを提供するものであり、仲介交渉プログラムは、コンピュータに、
依頼者の仲介要求に応じて依頼内容に優先順位を付した依頼条件を作成する依頼作成手順、
交渉フィールドを生成して依頼条件を投入し、依頼条件に対応した応答者を選択して依頼条件を通知する交渉依頼手順、
交渉フィールドに参加している応答者からの応答情報を受信して依頼者及び他の応答者に通知する交渉応答手順
を実行させる。


【手続補正１４】
【補正対象書類名】明細書
【補正対象項目名】００２８
【補正方法】変更
【補正の内容】
【００２８】
（応答者サーバの応札価格変更方法）
また本発明は、交渉フィールドでの応札価格をダイナミックに変更させる応答者サーバの応札価格変更方法を提供する。この応札価格変更方法は、
ネットワーク上に生成された交渉フィールドに投入された依頼情報を受信する受信手順、
応札価格について初期値、きざみ値及び最低値を準備し、最初は応札価格に初期値を設定した応答情報を投入し、交渉フィールドに応札価格の安い他の応答情報を認識した場合はきざみ値単位に応札価格を順次修正した応答情報を再投入し、競争相手の応札価格が最低値を下回った場合は応答情報の投入を止めて交渉から降りる交渉応答手順、
を備える。


【手続補正１５】
【補正対象書類名】明細書
【補正対象項目名】００３１
【補正方法】変更
【補正の内容】
【００３１】
この記録媒体は、コンピュータに、
ネットワーク上に生成された交渉フィールドに投入された依頼情報を受信する受信手順、
応札価格について初期値、きざみ値及び最低値を準備し、最初は応札価格に初期値を設定した応答情報を投入し、交渉フィールドに応札価格の安い他の応答情報を認識した場合はきざみ値単位に応札価格を順次修正した応答情報を再投入し、競争相手の応札価格が最低値を下回った場合は応答情報の投入を止めて交渉から降りる交渉応答手順、
を実行させるための交渉応答プログラムを格納する。
【手続補正１６】
【補正対象書類名】明細書
【補正対象項目名】００３３
【補正方法】変更
【補正の内容】
【００３３】
このプログラムは、コンピュータに、ネットワーク上に生成された交渉フィールドに投入された依頼情報を受信する受信手順、
応札価格について初期値、きざみ値及び最低値を準備し、最初は応札価格に初期値を設定した応答情報を投入し、交渉フィールドに応札価格の安い他の応答情報を認識した場合はきざみ値単位に応札価格を順次修正した応答情報を再投入し、競争相手の応札価格が最低値を下回った場合は応答情報の投入を止めて交渉から降りる交渉応答手順、
を実行させる。